(57)【要約】【課題】本発明は、電子装置のインターフェースからコネクターを容易に取り外すことができるコネクター取り外し補佐装置及びこれを備えたコネクターセットを提供することを目的とする。【解決手段】本発明に係るコネクターセットは、コネクターと、コネクター取り外し補佐装置と、を備え、前記コネクターの上面には、弾性係合部が突設され、前記コネクター取り外し補佐装置は、装着部及び操作部を備え、前記装着部には、前記コネクターの前記弾性係合部を収容できる取り付け穴が開設され、前記操作部を押圧することによって、前記弾性係合部を動かすことができる。【選択図】図３
2012142264.tif 000002
【特許請求の範囲】
【請求項１】
装着部と、前記装着部の後端から斜めに延伸する連接部と、前記連接部の後端から水平方向に延伸する操作部と、
を備えてなるコネクター取り外し補佐装置であって、
前記装着部には、コネクターの弾性係合部を収容するための取り付け穴が開設されることを特徴とするコネクター取り外し補佐装置。
【請求項２】
前記装着部及び前記操作部は平行であることを特徴とする請求項１に記載のコネクター取り外し補佐装置。
【請求項３】
前記操作部の表面には、滑り止め部が設けられていることを特徴とする請求項１又は２に記載のコネクター取り外し補佐装置。
【請求項４】
前記装着部には、前記取り付け穴を有する収容部が突設され、前記取り付け穴は、前記収容部の先端を貫通して前記収容部の外部と連通することを特徴とする請求項１〜３のいずれか一項に記載のコネクター取り外し補佐装置。
【請求項５】
コネクターと、
コネクター取り外し補佐装置と、
を備えてなるコネクターセットであって、
前記コネクターの上面には、弾性係合部が突設され、
前記コネクター取り外し補佐装置は、装着部及び操作部を備え、
前記装着部には、前記コネクターの前記弾性係合部を収容する取り付け穴が開設され、前記操作部を押圧することによって、前記弾性係合部を動かすことができることを特徴とするコネクターセット。
【請求項６】
前記弾性係合部の後端の底面には、１つのフック部が突設され、
前記コネクター取り外し補佐装置の取り付け穴は、Ｌ字型であり、横穴と、前記横穴に直交し且つ前記横穴に連通する縦穴と、を備え、前記弾性係合部は前記取り付け穴の横穴に挿し込まれて、前記フック部が前記縦穴に係止されることを特徴とする請求項５に記載のコネクターセット。
【請求項７】
前記コネクター取り外し補佐装置は、前記装着部と前記操作部との間に位置する連接部をさらに備え、前記連接部は、前記装着部の後端から斜めに延伸することを特徴とする請求項５又は６に記載のコネクターセット。
【請求項８】
前記装着部及び前記操作部は平行であることを特徴とする請求項５〜７のいずれか一項に記載のコネクターセット。
【請求項９】
前記装着部には収容部が突設され、前記取り付け穴は前記収容部に開設されるとともに、前記収容部の先端を貫通して前記収容部の外部と連通することを特徴とする請求項５〜８のいずれか一項に記載のコネクターセット。
【請求項１０】
前記操作部の表面には、滑り止め部が設けられることを特徴とする請求項５〜９のいずれか一項に記載のコネクターセット。
【発明の詳細な説明】
【技術分野】
【０００１】
本発明は、コネクター取り外し補佐装置及びこれを備えたコネクターセットに関するものである。
【背景技術】
【０００２】
従来の技術において、電子装置のインターフェースからコネクターを取り外す場合、先ず、コネクターの上面に形成された弾性係合部を押圧して、前記弾性係合部と前記インターフェースとの係合状態を解除することで、前記電子装置のインターフェースから前記コネクターを取り出すことができる。
【発明の概要】
【発明が解決しようとする課題】
【０００３】
しかし、コネクターが電子装置のインターフェースに係合接続されている場合、操作空間の制限によって、前記電子装置のインターフェースから前記コネクターを取り出し難い。
【０００４】
本発明は、前記課題を解決し、電子装置のインターフェースからコネクターを容易に取り外すことができるコネクター取り外し補佐装置及びこれを備えたコネクターセットを提供することを目的とする。
【課題を解決するための手段】
【０００５】
上記目的を達成するために、本発明に係るコネクターセットは、コネクターと、コネクター取り外し補佐装置と、を備え、前記コネクターの上面には、弾性係合部が突設され、前記コネクター取り外し補佐装置は、装着部及び操作部を備え、前記装着部には、前記コネクターの前記弾性係合部を収容できる取り付け穴が開設され、前記操作部を押圧することによって、前記弾性係合部を動かすことができる。
【発明の効果】
【０００６】
本発明に係るコネクター取り外し補佐装置が、コネクターの弾性係合部に装着されて、コネクターの弾性係合部に対する操作距離を延長することで、電子装置のインターフェースからコネクターを容易に取り外すことができる。
【図面の簡単な説明】
【０００７】
【図１】本発明の実施形態に係るコネクターセットと電子装置のインターフェースとの立体分解図である。
【図２】図１に示すコネクターセットのコネクター取り外し補佐装置の反転図である。
【図３】図１に示すコネクターセットと電子装置のインターフェースとの立体組立図である。
【図４】図３のＩＶ−ＩＶ線に沿った断面図である。
【発明を実施するための形態】
【０００８】
図１及び図３に示したように、本発明の実施形態に係るコネクターセットは、電子装置のインターフェース４０に接続される。前記コネクターセットは、コネクター１０及びコネクター取り外し補佐装置２０を備える。
【０００９】
前記コネクター１０は、本体１２及びその後端に接続されるケーブル１４を備える。前記本体１２の上面の先端には、前記本体１２の後端に向けて斜め上に延伸する弾性係合部１２３が設置される。前記弾性係合部１２３の後端からは、１つのフック部１２５が延在する。
【００１０】
図１及び図２に示したように、前記コネクター取り外し補佐装置２０は、装着部２１と、前記装着部２１の後端から斜めに延在する連接部２３と、前記連接部２３から水平方向に延在する操作部２５と、を備える。前記装着部２１及び前記操作部２５は略平行である。前記装着部２１の上面の先端には、収容部２１２が突設される。前記収容部２１２には、取り付け穴２１４がＬ字型に開設されており、前記取り付け穴２１４は、前記収容部２１２の先端を貫通する横穴２１４０及び前記装着部２１の底面を貫通する縦穴２１４２を備える。前記操作部２５の表面には、滑り止め部２５１が設けられている。
【００１１】
前記インターフェース４０には、収容穴４１及び前記収容穴４１と連通する係合スロット４３が開設されている。
【００１２】
図３及び図４に示したように、前記コネクターセットを組み立てる際、先ず前記コネクター１０の弾性係合部１２３の自由端を、前記コネクター取り外し補佐装置２０の収容部２１２の取り付け穴２１４に挿し込むと、前記弾性係合部１２３のフック部１２５は、前記取り付け穴２１４の縦穴２１４２に係止される。前記コネクターセットの組立を完成させてから、前記コネクター１０の先端を前記インターフェース４０の収容穴４１に挿し込んで、前記コネクター１０の弾性係合部１２３の先端を前記係合スロット４３内に係合させる。
【００１３】
前記インターフェース４０から前記コネクター１０を取り外す場合、先ず前記操作部２５を押圧して、前記コネクター１０の弾性係合部１２３を下方の本体１２方向へ動かすことにより、前記弾性係合部１２３の先端を前記係合スロット４３から退出させる。次いで、前記操作部２５を押した状態のまま引くことによって、前記コネクター１０を前記収容穴４１から取り外すことができる。
【００１４】
図示されないが、本発明の第二実施形態に係るコネクターセットにおいて、前記弾性係合部１２３にはフック部１２５は設けられず、前記取り付け穴２１４にも縦穴２１４２は開設されない。従って、本実施形態の前記コネクターセットを組み立てる際は、前記コネクター１０の弾性係合部１２３の自由端を取り付け穴２１４に密接に係合させればよい。
【符号の説明】
【００１５】
１０  コネクター
１２  本体
１４  ケーブル
１２３  弾性係合部
１２５  フック部
２０  コネクター取り外し補佐装置
２１  装着部
２３  連接部
２５  操作部
２５１  滑り止め部
４０  インターフェース
４１  収容穴
４３  係合スロット
２１２  収容部
２１４  取り付け穴
２１４０  横穴
２１４２  縦穴
【図１】
2012142264.tif 000003
【図２】
2012142264.tif 000004
【図３】
2012142264.tif 000005
【図４】
2012142264.tif 000006